(57)【特許請求の範囲】
【請求項１】
流体流路の上流側と下流側を遮断・流通する弁装置において、流入口と、該流入口に続く主弁弁室と、該主弁弁室に前記流入口と反対口に設けられた主弁弁座と、該主弁弁座に当接・離反し、前記主弁弁室内に設けられた主弁弁体枢支軸にアームを介して回転支持される主弁弁体と、前記主弁弁室と隣接し、該主弁弁室に続く連通室と、前記主弁弁室と前記連通室を前記主弁弁座の口から連通する連通路と、前記連通室に設けられた前記連通路の口と反対口の流出口と、該流出口を吸引すると前記主弁弁体を前記流入口側へ押して弁開させる吸引式弁作動手段を備え、当該吸引式弁作動手段は、前記連通室に前記連通路及び前記流出口とは別に設けられた呼吸分岐路、並びに該呼吸分岐路の前記連通室とは反対の口に設けられた呼吸弁弁座及び、該呼吸弁弁座と大気に通ずる呼吸口を具備し、前記連通室と隣接して画成する呼吸弁弁室及び、前記呼吸弁弁座に当接・離反し、前記主弁弁体枢支軸に平行に前記呼吸弁弁室内に設けられた呼吸弁弁体枢支軸にアームを介して回転支持される呼吸弁弁体及び、該呼吸弁弁体を半開状態に張架する張架ばね及び、前記呼吸弁弁室に設けられた前記張架ばねを支持する支持腕により構成される呼吸弁、並びに前記呼吸分岐路と前記連通室と前記連通路を挿通して前記呼吸弁弁体及び前記主弁弁体を片方の弁が閉じると片方の弁が開くように連結する連杆を備え、前記主弁弁体及び前記呼吸弁弁体は軽量で、抵抗なく前記主弁弁体枢支軸及び前記呼吸弁弁体枢支軸で回転し、前記流出口を吸引したとき、
【数１】
0005419026.tif 000004
を満たすように、弁座軸に垂直な前記呼吸弁弁座の弁座面に平行な前記呼吸弁弁体の断面積が弁座軸に垂直な前記主弁弁座の弁座面に平行な前記主弁弁体の断面積より大きくし、且つ、前記呼吸弁のオリフィスとなる前記呼吸弁弁座の弁座口面積が前記主弁のオリフィスとなる前記主弁弁座の弁座口面積より大きくし、且つ、前記張架ばねに張架されて半開状態の前記呼吸弁弁体は前記式１の吸引力がかかる程度の前記呼吸弁弁体の前記呼吸弁弁座側に負圧が発生するように前記呼吸弁弁体の前記呼吸弁弁座と反対側からの大気の流入量を小さくするために、前記呼吸弁弁体は前記呼吸弁弁室の断面に近い大きさで流路を狭めるようにして設けられ、前記吸引式弁作動手段により、前記流出口を吸引するとパスカルの法則を応用した原理で前記主弁弁体よりも前記呼吸弁弁体が強く引かれた結果、前記式１の関係が働いて前記呼吸弁が閉じる一方前記主弁が開き、吸引を止めると前記呼吸弁弁体と前記主弁体にかかる吸引力がなくなり、張架ばねにより前記呼吸弁弁体が引っ張られた結果、前記式１の不等合の向きが逆の関係が働いて前記呼吸弁が開く一方前記主弁が閉じることを特徴とする吸引式作動弁。
【発明の詳細な説明】
【技術分野】
【０００１】
この発明は、ストローのような吸引具につける弁に関するものである。          
【背景技術】
【０００２】
ストローに弁を付けることの意義は、特に寝たきりの病人が飲み物を自由に飲めることにある。よって、本発明に換わる従来物は吸い飲みである。吸い飲みは飲み物を口に注ぎ込んだり、止めたりするために手首で傾きを調整されることを必要とするので、使用時に介添者の援助を必要とし、介添される側が自由に飲み物を飲むことを憚られる。
【０００３】
特許文献１は、容器の飲み口に付けた弁の発明で、容器外側に口形状が楕円のストロー状の口があり、該楕円口からストロー状に内側に折り返されて、その先端に前記楕円口の長径方向と対角線をなして切り込み口状の弁が形成され、前記楕円口を唇でつぶすと切り込み口状の弁が切り込み端の両側から押されて開く構造である。この発明はたわみを利用した二重の楕円筒の形状変形による単純でない弁開閉機構や切り込み口状の弁のように単純でないシール構造なので、より弁としての信頼性を上げる意味で本発明により単純なしくみと構造の弁を考案した。
【０００４】
特許文献２は、ストロー中間にコンパクトに収められた弁の発明である。しかし、特許文献２は逆止弁の為、一度吸ったものを戻さないという意味で使用者の吸引を補助するが、流したり止めたりという通常の弁としての機能はない。本発明は、ストローに接続する順方向の弁を考えた。
【先行技術文献】
【特許文献】
【０００５】
【特許文献１】特開平１−２０９０１７号公報
【特許文献２】特開２００１−３０１号公報
【発明の概要】
【発明が解決しようとする課題】
【０００６】
本発明の意義は、特に寝たきりの病人が飲み物を自由に飲めることにある。飲み物を口元に運ぶことは、落下やサイフォンの原理を使って管で運ぶことができるが、自由に飲むということはこの管の先の口元に弁が必要である。この弁は病人が気を使うことなく、操作できることが必要であり、本発明はこの弁を操作する力として、使用者の吸引活動そのものに注目し、吸引式作動弁を考えた。手を使わない作動方式の吸引具に使う弁には、特許文献１、特許文献２のような例があるが、特許文献１は単純なシール構造でない切り込み口状の弁であるため、弁としてのシールは不安定であり、形状変形での開口動作も吸飲しながら楕円口を唇で押しつぶすので容易でない。特許文献２は、逆止弁なので正圧に対して遮断することができない。よって、本発明の意義を達成するためにシール構造が単純で作動機構も簡単な吸引式作動弁を提供することを課題とする。
【課題を解決するための手段】
【０００７】
前記の目的を達成するために、本発明は流体流路の上流側と下流側を遮断・流通する弁装置において、流入口と、該流入口に続く主弁弁室と、該主弁弁室に前記流入口と反対口に設けられた主弁弁座と、該主弁弁座に当接・離反し、前記主弁弁室内に設けられた主弁弁体枢支軸にアームを介して回転支持される主弁弁体と、前記主弁弁室と隣接し、該主弁弁室に続く連通室と、前記主弁弁室と前記連通室を前記主弁弁座の口から連通する連通路と、前記連通室に設けられた前記連通路の口と反対口の流出口と、該流出口を吸引すると前記主弁弁体を前記流入口側へ押して弁開させる吸引式弁作動手段を備え、当該吸引式弁作動手段は、前記連通室に前記連通路及び前記流出口とは別に設けられた呼吸分岐路、並びに該呼吸分岐路の前記連通室とは反対の口に設けられた呼吸弁弁座及び、該呼吸弁弁座と大気に通ずる呼吸口を具備し、前記連通室と隣接して画成する呼吸弁弁室及び、前記呼吸弁弁座に当接・離反し、前記主弁弁体枢支軸に平行に前記呼吸弁弁室内に設けられた呼吸弁弁体枢支軸にアームを介して回転支持される呼吸弁弁体及び、該呼吸弁弁体を半開状態に張架する張架ばね及び、前記呼吸弁弁室に設けられた前記張架ばねを支持する支持腕により構成される呼吸弁、並びに前記呼吸分岐路と前記連通室と前記連通路を挿通して前記呼吸弁弁体及び前記主弁弁体を片方の弁が閉じると片方の弁が開くように連結する連杆を備え、前記主弁弁体及び前記呼吸弁弁体は軽量で、抵抗なく前記主弁弁体枢支軸及び前記呼吸弁弁体枢支軸で回転し、前記流出口を吸引したとき、
【数１】
0005419026.tif 000002
を満たすように、弁座軸に垂直な前記呼吸弁弁座の弁座面に平行な前記呼吸弁弁体の断面積が弁座軸に垂直な前記主弁弁座の弁座面に平行な前記主弁弁体の断面積より大きくし、且つ、前記呼吸弁のオリフィスとなる前記呼吸弁弁座の弁座口面積が前記主弁のオリフィスとなる前記主弁弁座の弁座口面積より大きくし、且つ、前記張架ばねに張架されて半開状態の前記呼吸弁弁体は前記式１の吸引力がかかる程度の前記呼吸弁弁体の前記呼吸弁弁座側に負圧が発生するように前記呼吸弁弁体の前記呼吸弁弁座と反対側からの大気の流入量を小さくするために、前記呼吸弁弁体は前記呼吸弁弁室の断面に近い大きさで流路を狭めるようにして設けられ、前記吸引式弁作動手段により、前記流出口を吸引するとパスカルの法則を応用した原理で前記主弁弁体よりも前記呼吸弁弁体が強く引かれた結果、前記式１の関係が働いて前記呼吸弁が閉じる一方前記主弁が開き、吸引を止めると前記呼吸弁弁体と前記主弁体にかかる吸引力がなくなり、張架ばねにより前記呼吸弁弁体が引っ張られた結果、前記式１の不等合の向きが逆の関係が働いて前記呼吸弁が開く一方前記主弁が閉じることを特徴とする吸引式作動弁を提供する。
【０００８】
即ち、本発明によればスイング逆止弁の流路方向逆で流入側に開く順方向弁の前記主弁と前記吸引式弁作動手段により、前記流出口を吸引すると前記主弁のスイング弁が流入側に押されて弁開し前記流入口側から飲料を吸引でき、吸引を止めると前記主弁のスイング弁が閉じて流体を封止し、前記呼吸弁が開いて呼吸路が大気解放されることにより前記主弁から下流にある飲料は落下して、前記流出口より排出される。
【０００９】
本発明の前記吸引式弁作動手段の原理を図４により説明する。図４は、ロッドで連結された大小２つのピストンを示す。大ピストン７４は前記呼吸弁弁体、小ピストン７６は前記主弁弁体、ロッド７５は前記連杆に相当する。吸引口７８を吸引すると連通室７９を中央にもつシリンダ内部が負圧になり、両ピストンに負圧×ピストン面積の吸引力が発生し、左の大ピストン７４の方が大きい吸引力なので、ロッド７５で連結された両ピストンは全体として右に動く。これはパスカルの法則を応用した原理であるが、パスカルの原理と異なるのは、シリンダ内部が負圧であることと、ピストン間をロッドで連結していることと、シリンダ内部を吸引して、且つ、ピストン部から流体の流入があるようにシリンダ内部の流体に外部との流れがあることである。ただし、ピストン部からの流体の流入が大きすぎてシリンダ内部の負圧が不安定になると、この原理は機能しないので、ピストン部の流体の流入は、シリンダ内部が吸引による負圧を維持できる程度であることを条件とする。又、両ピストン前にオリフィスがある場合、大ピストンと小ピストンのオリフィスの大小が逆転していると、吸引力の大きさが逆転することもあるので、大ピストンと小ピストンの前にあるオリフィスの大小が逆転していないことも条件とする。
【００１０】
即ち、本発明の吸引式作動弁においてシリンダ内部圧をつくる前記連通室を吸引すると、大ピストン７４に相当する前記呼吸弁弁体、小ピストン７６に相当する前記主弁弁体及びロッド７５に相当する前記連杆でつくるリンクに前記の原理が働いて、この原理による力が前記呼吸弁側に持ち上げる前記張架ばねの張力及び流入側から主弁を押す流体圧力に勝り、各部にかかる重力を考慮した前記式１の不等式の関係が働いた結果、前記呼吸弁弁体が引かれる一方前記主弁弁体が押されて、前記呼吸弁が閉じる一方前記主弁は開く。さらに吸引が前記流入口先の流体に届いて、流体は前記流入口から前記主弁、前記連通室、前記流出口を経由して吸引される。
【００１１】
また、吸引を止めると前記呼吸弁弁体、前記主弁弁体に働く吸引力はなくなるので、前記張架ばねの張力が主として働いて、前記式１の不等式の不等合は逆になり、前記呼吸弁弁体が押される一方前記主弁弁体が引かれて、前記呼吸弁が開く一方前記主弁は閉じる。その結果、前記主弁で流体は封止され、前記主弁から下流の流体は前記呼吸弁が開いて前記呼吸路が大気開放されることにより、前記連通室以下に残る流体は落下して、前記流出口より排出される。
【００１２】
従って、本発明に係る吸引式作動弁によれば、前記流出口を吸引すると弁が開き、吸引を止めると弁が閉じるように、吸引だけで弁を作動させることができる。
【発明の効果】
【００１３】
以上のように、本発明によれば安定したシール構造のスイング弁構造及びピストンとリンクを使ったパスカルの法則を応用した原理の簡単な作動構造により、簡単で信頼性の高い吸引式作動弁を提供することができる。
【図面の簡単な説明】
【００１４】
【図１】本発明の実施例の横断面図
【図２】図１の線I−Iに沿った縦断面図
【図３】図１の線II−IIに沿った水平断面図
【図４】本発明の吸引式作動弁の動作原理説明図
【図５】本発明の実施例の分解斜視図
【図６】本発明の実施例を拡大して斜視した使用例図
【図７】本発明の吸引式動作弁の実施例の動作図  Ａ、吸引前状態  Ｂ、吸引状態  Ｃ、吸引後中断状態
【図８】本発明の実施例の未吸引時の斜視図
【図９】本発明の実施例の吸引時の斜視図
【発明を実施するための形態】
【００１５】
以下、図１〜３及び図５を参照して、本発明に係る吸引式作動弁の一実施形態について説明する。
【００１６】
図１において、参照符号１は本発明の実施形態に係る吸引式作動弁を示し、この吸引式作動弁１は下面の開いた半円より大きい弓形柱状の箱型ボディ２に弓形の弧にあたる縦長長方形の側面を底面として主弁Ａの縦長長方形の弁筐４を図２に示すように形成し、隣接する半円より大きい弓形の上面を底面として前記主弁Ａを動作させる弁作動手段Ｃの駆動体となる呼吸弁Ｂの円形の弁筐５を図３に示すように形成し、箱型の内部は前記主弁Ａと前記呼吸弁Ｂを流路で結ぶ連通室３を形成する。
前記主弁Ａの前記主弁弁筐４には主弁弁蓋６が覆設し、該主弁弁蓋６には流入口７を設け、前記連通室３にはボディ蓋体９が覆設し、該ボディ蓋体９には流出口８を設け、前記呼吸弁Ｂの前記呼吸弁弁筐５には呼吸弁弁蓋１０が覆設し、該呼吸弁弁蓋１０には呼吸口１１を設ける。
【００１７】
図２に示すように、前記ボディ２の側面の縦長長方形の前記主弁弁筐４の弁筐底部１８の中央下部に前記連通室３に連通する円形断面の連通路１２を設け、該連通路１２の前記主弁弁筐底部１８の口に主弁弁座１３を設ける。主弁弁体１４は軽量の薄円板状の弁体部１５とその上部に水平横方向の軸部１６と前記弁体部１５と前記軸部１６を渡設するアーム部１７から形成される。前記主弁弁筐底部１８の上部に上段差部１９を設け、該上段差部１９に水平横方向の長溝からなる軸溝２０を設け、該軸溝２０の開口面は前記主弁弁蓋６に設けたリブ２１が図５に示すように前記軸溝２０の両端部を覆って切欠孔状の孔を形成し、前記主弁弁座１３に当接・離反し、主流路の遮断・流通を行う前記主弁弁体１４の前記軸部１６の両端部を回転支持する。前記アーム部１７が前記上段差部１９に掛かる部分は、前記上段差部１９に逃がしを設ける。
【００１８】
図１に示すように前記主弁弁筐４には弁筐と同形柱状の主弁弁蓋６が覆設し、前記主弁弁筐４の外周には凸条２２を設け、反対側の前記主弁弁蓋６の開口面外周には凹条２３を設け、凸条２２と凹条２３は嵌合密閉し、前記主弁弁筐底部１８の上に柱状に主弁弁室２４を形成する。該主弁弁室２４の上部に前記流入口７を設ける。該流入口７の前記主弁弁蓋６の外側にはフランジ２６を形成する流入ポート２５を設け、前記フランジ２６は流入管２７のアダプタ部２８と当接して、ナット２９と前記フランジ２６の外周に設けたネジ部３０が螺合されることにより、前記流入管２７が前記フランジ２６に押圧保持され、前記流入管２７が前記主弁弁蓋６に連結される。前記流入管２７の反対側の上端部には、ニップル３１を設ける。
【００１９】
前記主弁Ａを通った流体は前記連通路１２を通って、前記箱型ボディ２の内部の前記連通室３に流れる。該連通室３は前記ボディ２と前記流出口８を有する前記ボディ蓋体９により形成され、前記箱型ボディ２の下面の開口部外周には凸条３２が設けられ、反対側のボディ蓋体９の上面外周には凹条３３が設けられ、凸条３２と凹条３３は嵌合密閉する。前記連通室３の半円より大きい弓形の上面には、中央付近を中心としてボディ２の上面の弓形と同方向を向く半円より大きい弓形断面で断面積が前記連通路１２より後述式２を満たす吸引力が働くように大きい呼吸分岐路３５を設け、該呼吸分岐路３５は前記箱型ボディ２の上面の前記呼吸弁Ｂへ通じる。前記ボディ蓋体９の中央部は外側に凹んでいて、凹みの中央付近のやや流入側と反対方向にずれて前記流出口８を形成し、そこから前記連通路１２と俯角をなして吸引管３６を形成し、その先端に吸引口３７を設ける。前記連通室３に流れた流体は、前記吸引口３７より吸引される。
【００２０】
図３に示すように前記ボディ２の上面の円形の前記呼吸弁弁筐５の弁筐底部３８に前記ボディ２内部の前記連通室３から連通する前記呼吸分岐路３５の弓形の開口部の弓形周状に凸条弁座３９を設ける。呼吸弁弁体４０は、弓形の前記凸条弁座３９よりやや大きい弓形薄板状の軽量の弁体部４１と該弁体部４１の弓形の弧と平行な軸部４２と前記弁体部４１と前記軸部４２を渡設するアーム部４３から形成される。前記呼吸弁弁体弁体部４１の弓形面積は、前記主弁Ａの前記主弁弁体弁体部１５の円形面積より後述式２を満たす吸引力が働くように大きく設ける。円形の前記呼吸弁弁筐底部３８の前記主弁弁筐４を形成するボディ側面側に上段差部４４を設け、該上段差部４４に前記弁筐４のボディ側面と前記弁筐５のボディ上面との辺に平行な長溝からなる軸溝４５を設け、該軸溝４５の上面は前記呼吸弁弁蓋１０に設けたリブ４６が図５に示すように前記軸溝４５の両端部を覆って切欠孔状の孔を形成し、前記凸条弁座３９に当接・離反し、呼吸路７３の遮断・流通を行う前記呼吸弁弁体４０の前記軸部４２の両端部を回転支持する。前記アーム部４３が前記上段差部４４に掛かる部分は、前記上段差部４４に逃がしを設ける。前記呼吸弁弁体軸部４２と前記主弁弁体軸部１６は、平行軸となる。
尚、薄くて軽量の前記呼吸弁弁体４０が前記凸条弁座３９に着座すると弁体外側より、大気圧にシール面積を掛けた力が前記呼吸弁弁体４０のシール圧として加味され、呼吸弁Ｂの動きを悪くするので、シール面積を小さくしたり、弁座に許容できる程度のスリットを入れたりしてもよい。
【００２１】
図１に示すように前記呼吸弁弁筐５には該呼吸弁弁筐５と同形柱状の部分を主とした前記呼吸弁弁蓋１０が覆設し、前記呼吸弁弁筐５の外周に設けられた凸条４７と反対側の前記呼吸弁弁蓋１０の開口部外周に設けられた凹条４８は嵌合密閉し、前記呼吸弁弁筐底部３８からの垂直な柱状部を主とした呼吸弁弁室４９を形成する。該呼吸弁弁室４９と後述張架ばね５０に張架されて半開状態になった前記呼吸弁弁体４０との隙間で作る流路は、前記呼吸分岐路３５を吸引すると前記呼吸弁弁体４０に後述（式２）を満たす吸引力が働くように狭くなっている。前記呼吸弁弁室４９の上部に前記呼吸口１１を設け、該呼吸口１１より前記呼吸弁弁室４９は、大気を吸引・排気する。前記呼吸口１１の前記呼吸弁弁蓋１０の外側には、フランジ５２を形成する呼吸ポート５１を設けると共に内部の流路に段差５３を設ける。呼吸管５４を前記呼吸ポート５１に嵌挿し、呼吸管５４の先端５５の少し戻ったところに設けたフランジ５６と前記フランジ５２が当接して、ナット５７と前記フランジ５２の外周に設けたネジ部５８が螺合することにより、前記呼吸管５４は前記フランジ５２に押圧保持され、前記呼吸管５４は前記呼吸弁弁蓋１０に連結される。前記呼吸ポート５１の前記段差５３と前記呼吸管５４の前記先端５５の間にはメッシュフィルター５９を介挿し、万が一の呼吸路からの飲料物の漏れを防ぐ。前記呼吸管５４の反対の端は前記流入管２７に添着し、上方に向って呼吸管口６０を開く。
【００２２】
前記呼吸弁弁体４０の弓形薄板状の前記弁体部４１のシール面の図形重心にフック状軸掛部６１を設け、該フック状軸掛部６１に連杆６２の端部の切溝６３ａを有する軸受部６４ａを枢支連結し、連杆６２の他端の切溝６３ｂを有する軸受部６４ｂを前記主弁弁体１４の薄円板状の前記弁体部１５のシール面の円の中心に設けたフック状軸掛部６５に枢支連結して、前記呼吸弁弁体４０と前記主弁弁体１４をリンクさせ、片方の弁が開くと片方の弁が閉じるようにする。前記連杆６２は、前記呼吸弁弁室４９、前記呼吸分岐路３５、前記連通室３、前記連通路１２、前記主弁弁室２４を通る線上で軌道を描く。
前記呼吸弁弁体４０は、前記弁体部４１の前記呼吸口１１側の面の図形重心に設けたフック６６に係止する前記張架ばね５０に引っ張られ、前記呼吸弁弁体４０にリンクした前記主弁弁体１４は、前記呼吸弁Ｂ方向に引っ張られて弁閉する。前記張架ばね５０の他端は前記呼吸弁弁筐底部３８の前記上段差部４４の前記軸溝４５に対して前記凸条弁座３９と反対側中央部に設けた穿孔に挿設した支持腕６７の先端の爪部６８に係止する。
前記呼吸弁弁体４０、前記呼吸弁弁筐５、前記呼吸弁弁蓋１０、前記凸条弁座３９、前記軸溝４５、前記支持腕６７、前記張架ばね５０で前記呼吸弁Ｂを構成し、該呼吸弁Ｂ及び前記呼吸分岐路３５及び前記連杆６２で前記主弁Ａを動作させる前記吸引式弁作動手段Ｃを構成する。
【００２３】
当該吸引式弁作動手段Ｃは、吸引前は後述式２において吸引力がない状態で、後述式２の不等合とは逆で右辺が大きくなり、前記吸引口３７を吸引すると前記連通室３を経て、前記連通路１２及び前記呼吸分岐路３５を吸引し、前記主弁弁体１４及び前記呼吸弁弁体４０が吸引を受けて、結果後述式２の総力が働き、不等合は後述式２のように左辺が大きくなる。後述不等式式２は、左辺が前記連杆６２が前記主弁Ａ側に向う力を意味し、右辺が前記連杆６２が前記呼吸弁Ｂ側に向う力を意味する。
【数２】
0005419026.tif 000003
【００２４】
次に本発明の実施形態に係る前記吸引式作動弁１の使用例を図６に示し、その動作について図７を中心に図１及び図８及び図９に基づいて説明する。
【００２５】
図６に示すように前記流入管２７の上端部の前記ニップル３１に飲料容器８１から橋渡しされたストロー８０を接続し、前記吸引口３７を吸飲者の口元にもってくる。前記飲料容器８１は前記吸引式作動弁１より高い位置に置き、サイフォン効果が得られるようにする。呼吸管口６０は、大気開放状態とする。又、吊りフック６９を吊り手８２で吊るして弁１を固定する。
【００２６】
吸引前は前記不等式式２において吸引力がかかってなく張架ばね５０の張力が主に働いて、不等式は前記式２の不等合が逆になって右辺が大きくなるため、前記主弁弁体１４と前記呼吸弁弁体４０のリンクが前記呼吸弁Ｂ側に動いて、図８に示すように前記主弁弁体１４が前記主弁弁座１３に着座してリンクは止まり、前記主弁Ａが弁閉状態となる。尚、このとき前記呼吸弁Ｂは弁開状態となり、前記連通室３は前記呼吸弁弁室４９を経て、前記呼吸口１１及び前記呼吸管口６０と連通し、大気開放状態となっている。吸引前状態を図７Ａに示す。
【００２７】
このような状態において吸飲者が前記吸引口３７より吸引を開始すると、吸引による負圧は前記流出口８、前記連通室３を経て、前記連通路１２及び前記呼吸分岐路３５にかかり、前記主弁弁体１４及び前記呼吸弁弁体４０が吸引力を受ける。その結果、前記不等式式２において、不等合は前記式２に示すように左辺が大きくなり、前記主弁弁体１４と前記呼吸弁弁体４０のリンクが前記主弁Ａ側に動いて、図９に示すように前記呼吸弁弁体４０が前記凸条弁座３９に着座してリンクは止まり、前記主弁弁体１４はリフトして前記主弁Ａは弁開状態となる。このとき前記呼吸弁Ｂは弁閉状態となるので、前記連通室３と前記呼吸弁弁室４９は遮断され、吸引による負圧は前記主弁弁室２４一方にかかり、前記流入管２７に接続された前記ストロー８０を経て、前記飲料容器８１内の飲料を吸引する。吸引された飲料は逆のルートを経て、前記吸引口３７より吸飲者へ吸飲される。吸引状態を図７Ｂに示す。
【００２８】
次に吸引を止めると吸引力がなくなるので、前記不等式式２の不等合は再び前記式２とは逆に右辺が大きくなり、リンクが前記呼吸弁Ｂ側に動いて、再び前記主弁Ａが弁閉状態となる。吸引後中断状態を図７Ｃに示す。
しかし、今度は図７Ｃに示すように、前記主弁Ａより前記容器８１側の飲料は前記主弁Ａにおいて封止状態となる。一方、該主弁Ａより前記吸引口３７側の飲料は、前記呼吸弁Ｂが弁開となって前記呼吸路７３が大気開放状態となるので、前記連通室３より落下して前記吸引口３７から流れるのを吸飲者が受ける形になる。
【００２９】
再び吸引すると最初の吸引と同じように吸引力が働いて、前記不等式式２の不等合は前記式２に示すように左辺が大きくなり、リンクが前記主弁Ａ側に動いて、再び前記主弁Ａが弁開状態になる。しかし、今度は図７Ｃの動作図の吸引後中断状態で示したように再吸引前に飲料は該主弁Ａまで在って、且つ、サイフォン効果による流体圧がかかっているので、最初の吸引よりも楽に飲料を吸飲することができる。
以後、吸飲と中断の動作状態は図７Ｂと図７Ｃを交互に繰り返される。
【００３０】
上記に示したように実施例の形態に係る前記吸引式作動弁１によれば、吸引すると弁が開き、吸引を止めると弁が閉じる吸引式弁作動なので、手を使うことなく、息のみで飲料物を供給したり遮断することができ、また、弁は小型で口元に置けるので、一度吸飲すれば飲料は口元の弁まで封止して保持でき、２回目の吸飲からは楽に吸飲できる。
【００３１】
このように息のみで作動させる弁なので、病人のような寝た状態の者が介添者の介添なく自由に飲料を飲むことができる。
【００３２】
なお、本実施形態では、弁の流入側流体はサイフォン効果による流体圧がかかっているが、飲料容器を吊るして落下による流体圧をかけてもよい。
【産業上の利用可能性】
【００３３】
本発明の使用により、医療の病室、介護現場、またはリビングにおいて、飲料による安息効果が高められることを期待できる。
【符号の説明】
【００３４】
Ａ  主弁
Ｂ  呼吸弁
Ｃ  吸引式弁作動手段
１  吸引式作動弁
２  ボディ
３  連通室
４  主弁弁筐
５  呼吸弁弁筐
６  主弁弁蓋
７  流入口
８  流出口
９  ボディ蓋体
１０  呼吸弁弁蓋
１１  呼吸口
１２  連通路
１３  主弁弁座
１４  主弁弁体
１５  主弁弁体弁体部
１６  主弁弁体軸部
１７  主弁弁体アーム部
１８  主弁弁筐底部
１９  上段差部
２０  軸溝
２１  リブ
２２  凸条
２３  凹条
２４  主弁弁室
２５  流入ポート
２６  フランジ
２７  流入管
２８  アダプタ部
２９  ナット
３０  ネジ部
３１  ニップル
３２  凸条
３３  凹条
３４  呼吸分岐口
３５  呼吸分岐路
３６  吸引管
３７  吸引口
３８  呼吸弁弁筐底部
３９  凸条弁座
４０  呼吸弁弁体
４１  呼吸弁弁体弁体部
４２  呼吸弁弁体軸部
４３  呼吸弁弁体アーム部
４４  上段差部
４５  軸溝
４６  リブ
４７  凸条
４８  凹条
４９  呼吸弁弁室
５０  張架ばね
５１  呼吸ポート
５２  フランジ
５３  段差
５４  呼吸管
５５  呼吸管先端
５６  フランジ
５７  ナット
５８  ネジ部
５９  メッシュフィルター
６０  呼吸管口
６１  フック状軸掛部
６２  連杆
６３ａ、ｂ  切溝
６４ａ、ｂ  軸受部
６５  フック状軸掛部
６６  フック
６７  支持腕
６８  爪部
６９  吊りフック
７０  流入通路
７１  流出通路
７２  呼吸通路
７３  呼吸路
７４  大ピストン
７５  ロッド
７６  小ピストン
７７  シリンダケース
７８  吸引口
７９  連通室
８０  ストロー
８１  飲料容器
８２  吊り手
【図１】
0005419026.tif 000005
【図２】
0005419026.tif 000006
【図３】
0005419026.tif 000007
【図４】
0005419026.tif 000008
【図５】
0005419026.tif 000009
【図６】
0005419026.tif 000010
【図７】
0005419026.tif 000011
【図８】
0005419026.tif 000012
【図９】
0005419026.tif 000013